(57)【要約】【課題】  レーベル印刷面の多様化が進んでも、適宜、最適な印刷モードにて簡便にレーベル印刷を行える、記録媒体および記録再生装置を提供する。【解決手段】  ディスクが装着されると、リードイン領域に記録されている印刷管理情報を読み取り、レーベル印刷面の種別を判別する。レーベル印刷面がサーマルリライタブル型の場合、プリンタ駆動回路１１５によってプリンタユニット８０を駆動してレーベル印刷面にレーベルを感熱印刷する。また、レーベル印刷面がレーザマーカ型の場合、レーザ駆動回路１０４によって光ピックアップ１０５を駆動してレーベル印刷面にレーベルを感熱印刷または熱変形印刷する。レーベル印刷面がサーマルリライダブル型またはレーザマーカ型の何れでもない場合は、印刷不可としてレーベル印刷を終了する。【選択図】    図１
2005182980.tif 000002
【特許請求の範囲】
【請求項１】
情報記録面とレーベル印刷面を有するとともに、前記情報記録面の所定の情報エリアに、前記レーベル印刷を管理するための印刷管理情報を記録した、
ことを特徴とする記録媒体。
【請求項２】
請求項１において、
前記印刷管理情報は、レーベル印刷の種別を識別するための情報を含む、
ことを特徴とする記録媒体。
【請求項３】
請求項１または２の何れかにおいて、
レーベル印刷の実行内容に関するレーベル情報を追記録するための追記エリアをさらに有する、
ことを特徴とする記録媒体。
【請求項４】
請求項１ないし３の何れかにおいて、
レーベル印刷が可能な領域を識別するための領域識別情報をさらに有する、
ことを特徴とする記録媒体。
【請求項５】
請求項４において、
前記領域識別情報は、前記レーベル印刷領域が可能な領域のパターンを特定するための情報を含む、
ことを特徴とする記録媒体。
【請求項６】
記録媒体から情報を再生する再生手段と、
前記記録媒体に情報を記録する記録手段と、
記録媒体のレーベル印刷面にレーベル印刷を行う印刷手段と、
前記レーベル印刷時の処理を制御する印刷制御手段とを有し、
前記印刷制御手段は、
レーベル印刷を管理するための印刷管理情報が前記記録媒体に記録されているかを判別する第１の判別手段と、前記印刷管理情報が前記記録媒体に記録されているとき、当該印刷管理情報に基づいて、前記印刷手段によるレーベル印刷が可能かを判別する第２の判別手段とを備え、
前記第２の判別手段によって、前記印刷手段による印刷が可能であると判別したとき、前記印刷手段を、前記印刷管理情報に応じた印刷モードに設定してレーベル印刷を行う、
ことを特徴とする記録再生装置。
【請求項７】
請求項６において、
前記印刷手段は、印刷手法の異なる複数種類の印刷手段からなり、
前記印刷制御手段は、前記記録媒体から再生した印刷管理情報に適合する印刷手段を選択して、当該記録媒体に対するレーベル印刷を実行する、
ことを特徴とする記録再生装置。
【請求項８】
請求項６または７において、
前記印刷制御手段は、さらに、レーベル印刷の実行内容に関するレーベル情報が前記記録媒体に記録されているかを判別し、前記レーベル情報が記録媒体に記録されているときは、当該レーベル情報に基づいて、当該記録媒体に対するレーベル印刷をさらに実行可能かを判別する、
ことを特徴とする記録再生装置。
【請求項９】
請求項６ないし８の何れかにおいて、
前記印刷制御手段は、レーベル印刷を行ったとき、レーベル印刷の内容に関する情報を、前記記録手段によって当該記録媒体に記録する、
ことを特徴とする記録再生装置。
【請求項１０】
請求項９において、
前記レーベル印刷の内容に関する情報は、レーベル印刷を行ったことを示す情報および／もしくはレーベル印刷を行った領域を識別するための情報を含む、
ことを特徴とする記録再生装置。
【請求項１１】
請求項６ないし１０の何れかにおいて、
前記記録手段は、レーザ光を記録媒体に照射する光ピックアップを含み、
前記印刷制御手段は、装着された記録媒体がレーザ光によるレーベル印刷が可能な記録媒体であるかを前記印刷管理情報をもとに判別し、レーザ光によるレーベル印刷が可能であるとき、前記光ピックアップを、レーベル印刷モードに設定する、
ことを特徴とする記録再生装置。
【請求項１２】
請求項１１において、
前記印刷制御手段は、レーザ光によるレーベル印刷が可能であるとき、記録媒体のレーベル印刷面を光ピックアップに対向させる操作を促す処理を実行する、
ことを特徴とする記録再生装置。
【請求項１３】
請求項６ないし１０の何れかにおいて、
前記印刷制御手段は、前記記録媒体からレーベル印刷が可能な領域を示す情報を読み取る手段と、該手段にて読み取った情報に応じてレーベル印刷を行うべき領域を特定する手段とをさらに有する、
ことを特徴とする記録再生装置。
【請求項１４】
請求項１３において、
前記レーベル印刷が可能な領域を示す情報は、レーベル印刷が可能な領域を示す情報を含み、レーベル印刷を行うべき領域を特定する手段は、該情報に基づいて、レーベル印刷を行うべき領域を特定する、
ことを特徴とする記録再生装置。
【発明の詳細な説明】
【技術分野】
【０００１】
本発明は、記録媒体および記録再生装置に関し、特に、レーベル面にレーベル印刷を行う際に用いて好適なものである。
【背景技術】
【０００２】
ＤＶＤ−Ｒ（Digital Versatile Disc − Recordable）等のディスクメディアに情報を記録したとき、後々、記録コンテンツが分からなくならないよう、メディアの非記録面（レーベル面）にコンテンツのインデックス等をマーカで付記することがよく行われる。また、最近では、レーベル印刷機能付きのインクジェットプリンタが商品化され、より個性的なレーベル印刷が可能となっている。
【０００３】
しかし、インクジェットプリンタを用いる場合、インクジェットプリンタにレーベル情報を入力したり、あるいは、ディスクをプリンタにセットしたりといったような面倒な作業が必要となる。そこで、以下の特許文献１には、レーザ光によってディスクの情報記録面に可視画像を形成する技術が記載されている。かかる先行技術によれば、比較的簡便な操作によって視覚効果の高いレーベル表示を行うことができる。
【特許文献１】特開２００３−２０３３４８号公報
【発明の開示】
【発明が解決しようとする課題】
【０００４】
しかしながら、かかる従来技術によれば、記録面側に可視画像を形成するものであるため、記録容量の関係から、可視画像の形成領域が自ずと制限され、全ての記録コンテンツについて可視画像を形成できない恐れがある。
【０００５】
これに対し、ディスクの非記録面側に可視画像形成用の層を配し、この層に対して可視画像を形成するようにすれば、かかる問題は解消できる。しかし、この場合、非記録面側にこのような層が配されているかはユーザ自身が判断しなければならず、このような層が形成されていないにも拘わらず、誤って、可視画像の形成動作を実行すると、最悪の場合、基板が損傷することも起こり得る。最近のディスクの多様化に鑑みると、全てのディスクにこのような層が配されるとは到底想定できず、様々なレーベル種別のディスクが出現するものと思われる。レーベル面は、インクジェット型、レーザマーカ型、あるいは、サーマルリライダブル型、等々、ますます多様化が進むものと想定される。
【０００６】
そこで、本発明は、種々のレーベル印刷面に対し、適宜、最適な印刷モードにて簡便にレーベル印刷を行える、記録媒体および記録再生装置を提供することを課題とする。
【課題を解決するための手段】
【０００７】
本発明は、記録媒体または記録再生装置に関するものであり、それぞれ以下の特徴を有する。
【０００８】
請求項１の発明は、情報記録面とレーベル印刷面を有する記録媒体であって、前記情報記録面の所定の情報エリアに、前記レーベル印刷を管理するための印刷管理情報が記録されていることを特徴とする。
【０００９】
請求項２の発明は、請求項１に記載の記録媒体において、前記印刷管理情報が、レーベル印刷の種別を識別するための情報を含んでいることを特徴とする。
【００１０】
請求項３の発明は、請求項１または２の何れかに記載の記録媒体において、レーベル印刷の実行内容に関するレーベル情報を追記録するための追記エリアをさらに有することを特徴とする。
【００１１】
請求項４の発明は、請求項１ないし３の何れかに記載の記録媒体において、レーベル印刷が可能な領域を識別するための領域識別情報をさらに有することを特徴とする。
【００１２】
請求項５の発明は、請求項４に記載の記録媒体において、前記領域識別情報は、前記レーベル印刷領域が可能な領域のパターンを特定するための情報を含むことを特徴とする。
【００１３】
請求項６の発明は、記録媒体に対し情報を記録再生する記録再生装置であって、前記記録媒体から情報を再生する再生手段と、前記記録媒体に情報を記録する記録手段と、記録媒体のレーベル印刷面にレーベル印刷を行う印刷手段と、前記レーベル印刷時の処理を制御する印刷制御手段とを有し、前記印刷制御手段は、レーベル印刷を管理するための印刷管理情報が前記記録媒体に記録されているかを判別する第１の判別手段と、前記印刷管理情報が前記記録媒体に記録されているとき、当該印刷管理情報に基づいて、前記印刷手段によるレーベル印刷が可能かを判別する第２の判別手段とを備え、前記第２の判別手段によって、前記印刷手段による印刷が可能であると判別されたとき、前記印刷手段を、前記印刷管理情報に応じた印刷モードに設定してレーベル印刷を行うことを特徴とする。
【００１４】
請求項７の発明は、請求項６に記載の記録再生装置において、前記印刷手段は、印刷手法の異なる複数種類の印刷手段からなり、前記印刷制御手段は、前記記録媒体から再生した印刷管理情報に適合する印刷手段を選択して、当該記録媒体に対するレーベル印刷を実行することを特徴とする。
【００１５】
請求項８の発明は、請求項６または７に記載の記録再生装置において、前記印刷制御手段は、さらに、レーベル印刷の実行内容に関するレーベル情報が前記記録媒体に記録されているかを判別し、前記レーベル情報が記録媒体に記録されているときは、当該レーベル情報に基づいて、当該記録媒体に対するレーベル印刷をさらに実行可能かを判別することを特徴とする。
【００１６】
請求項９の発明は、請求項６ないし８の何れかに記載の記録再生装置において、前記印刷制御手段は、レーベル印刷を行ったとき、レーベル印刷の内容に関する情報を、前記記録手段によって当該記録媒体に記録することを特徴とする。
【００１７】
請求項１０の発明は、請求項９に記載の記録再生装置において、前記レーベル印刷の内容に関する情報は、レーベル印刷を行ったことを示す情報および／もしくはレーベル印刷を行った領域を識別するための情報を含むことを特徴とする。
【００１８】
請求項１１の発明は、請求項６ないし１０の何れかに記載の記録再生装置において、前記記録手段は、レーザ光を記録媒体に照射する光ピックアップを含み、前記印刷制御手段は、装着された記録媒体がレーザ光によるレーベル印刷が可能な記録媒体であるかを前記印刷管理情報をもとに判別し、レーザ光によるレーベル印刷が可能であるとき、前記光ピックアップを、レーベル印刷モードに設定することを特徴とする。
【００１９】
請求項１２の発明は、請求項１０に記載の記録再生装置において、前記印刷制御手段は、レーザ光によるレーベル印刷が可能であるとき、記録媒体のレーベル印刷面を光ピックアップに対向させる操作を促す処理を実行することを特徴とする。
【００２０】
請求項１３の発明は、請求項６ないし１０の何れかに記載の記録再生装置において、前記印刷制御手段は、前記記録媒体からレーベル印刷が可能な領域を示す情報を読み取る手段と、該手段にて読み取った情報に応じてレーベル印刷を行うべき領域を特定する手段とをさらに有することを特徴とする。
【００２１】
請求項１４の発明は、請求項１３に記載の記録再生装置において、前記レーベル印刷が可能な領域を示す情報は、レーベル印刷が可能な領域を示す情報を含み、レーベル印刷を行うべき領域を特定する手段は、該情報に基づいて、レーベル印刷を行うべき領域を特定することを特徴とする。
【００２２】
なお、前記管理情報は、さらに、当該記録媒体の基板材料を識別するための情報を含むようにするとよい。かかる情報を参照することにより、たとえば、レーベル印刷時のレーザパワー調整等を行うことができる。さらに、基板材料の他、レーベル印刷の調整に用い得る情報をさらに含むようにしても良い。
【発明の効果】
【００２３】
本発明によれば、前記レーベル印刷を管理するための印刷管理情報が、記録媒体の情報記録面に記録されているものであるから、装置側において、かかる印刷管理情報を読み取ることによりレーベル印刷面の種別を検出することができ、これにより、最適な印刷手段（インクジェット型、レーザマーカ型、サーマルリライダブル型、等々）を選択・設定することができる。よって、上記のような基板損傷等の問題が生じることもなく、レーベル印刷面に適した印刷手段によって円滑にレーベル印刷を行うことができる。
【００２４】
加えて、記録媒体に、レーベル印刷の実行内容に関するレーベル情報を記録するようにすれば、次のレーベル印刷実行時に、レーベル印刷の可否あるいはレーベル印刷を行えるレーベル面領域等を円滑に判別することができ、レーベル印刷時の処理動作をさらに円滑化することができる。
【００２５】
また、記録再生装置にレーベル印刷機能を付加することにより、記録媒体からの印刷管理情報の読み取りと、これによるレーベル印刷の実行を円滑に連携させることができ、装置の操作性およびユーザの利便性を向上させることができる。
【００２６】
さらに、記録再生装置の記録手段が光ピックアップを含む場合に、装着された記録媒体がレーザ光によるレーベル印刷が可能な記録媒体であるかを印刷管理情報をもとに判別し、レーザ光によるレーベル印刷が可能であるとき、光ピックアップを、レーベル印刷モードに設定するようにすれば、記録再生用の光ピックアップをレーベル印刷に共用でき、また、上記のような、不適正な記録媒体に対してレーザ印刷を行うことによって生ずる基板損傷等の問題も同時に回避することができる。
【００２７】
本発明の効果ないし意義は、以下に示す実施形態の説明により更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００２８】
以下、本発明の実施の形態につき図面を参照して説明する。なお、本実施形態は、ＤＶＤ−Ｒディスクおよびその記録再生装置に本発明を適用した場合を例示するものである。
【００２９】
まず、図１に実施の形態に係るディスクの構成を示す。
【００３０】
図示の如く、ディスク１００の情報記録面は、内周側から順に、クランプ領域、ＲＭＡ（Recording Management Area）領域、リードイン領域、データ領域、リードアウト領域に区分されている。また、ＲＭＡ領域からリードアウト領域には、図示の如く、ランド１０２とグルーブ１０３が螺旋状に形成されている。情報は、グルーブに記録される。すなわち、レーザ光を照射することによりグルーブに記録マークが形成され、情報が記録される。
【００３１】
リードイン領域のランドには、ピット（エンボス）が形成されており、これによりコントロール情報が記録されている。コントロール情報は所定のフォーマットに従っており、このフォーマットには空き領域（リザーブ領域）が存在している。この空き領域に、当該記録媒体のレーベル印刷を管理するための印刷管理情報が、あらかじめ記録されている。
【００３２】
ここで、印刷管理情報は、当該記録媒体のレーベル印刷面の種類（インクジェット型、サーマルリライタブル型、レーザマーカ型、印刷不可、等）や、基板材料の種類（ポリカーボネート、ポリオレフィン、生分解性、等）に関する情報を含んでいる。これ以外に、基板の温度限界値や、レーザパワーの設定値（レーザマーカ型の場合）等を含むようにしても良い。
【００３３】
ＲＭＡ領域には、データ領域に記録されたファイル情報のアドレス等が追記録される。ＲＭＡ領域に記録される情報は所定のフォーマットに従っており、このフォーマットには空き領域（リザーブ領域）が存在している。当該記録媒体にレーベル印刷を行ったとき、当該レーベル印刷の実行内容に関する情報（レーベル情報）が、この空き領域に記録される。
【００３４】
ここで、レーベル情報は、レーベル印刷を実行したか否かを示す情報（未実行、一部実行、完了）や、レーベル印刷によってどの程度のエリアが使用されたかを示す情報（全領域の３０％使用、等）を含んでいる。これ以外に、印刷されるべき画像情報と、このうちどこまでを印刷したかを示す情報を含むようにしても良い。なお、レーベル印刷されるべき画像情報については、データ領域に記録するようにしても良い。この場合、ＲＭＡ領域の空き領域には、当該レーベル画像情報のアドレスが記録される。
【００３５】
上記情報記録面の反対側の面はレーベル印刷面とされている。ここで、レーベル印刷面はディスク毎にまちまちで、インクジェット型、サーマルリライタブル型、レーザマーカ型、等々となっている。かかるレーベル印刷面の種類に関する情報は、上記のとおり、印刷管理情報としてリードイン領域の空き領域に記録されている。
【００３６】
図２に、記録再生装置の構成を示す。
【００３７】
記録再生装置の本体キャビネット１０の前面には、ディスクを搬入・搬出するためのトレイ２０が配設されている。また、モード情報や記録・再生時の経過時間等を表示するためのディスプレイユニット３０と、操作指令を入力するためのコントロールユニット４０が配設されている。なお、コントロールユニット４０は、この他、リモコンを備える構成であってもよい。
【００３８】
本体キャビネット１０の内部には、回路ユニット５０と、記録再生を行うためのピックアップユニット６０と、トレイ２０を駆動するためのローディングユニット７０が搭載されている。さらに、トレイ搬出入口の近傍に、トレイ２０の上面からディスクに対向するようにプリンタユニット８０が配されている。
【００３９】
本実施の形態では、プリンタユニット８０はサーマルリライタブル型のプリンタとされている。印刷時、プリンタユニット８０のプリンタヘッドがディスクの上面（レーベル印刷面）に接触しながら同図の左右方向にスキャンされる。このとき、トレイ２０は、搬出位置から搬入位置へと水平方向にステップ送りされる。これにより、レーベル印刷面に画像情報が印刷される。なお、印刷動作の詳細については追って詳述する。
【００４０】
また、本実施の形態では、プリンタユニット８０によるレーベル印刷の他、ピックアップユニット６０を用いたレーベル印刷（レーザマーカ型）が可能となっている。この場合、ピックアップユニットは、印刷に適した強度のレーザ光を出力する等、後述の如く、レーベル印刷モードに設定される。この際の印刷動作の詳細についても追って詳述する。
【００４１】
図３に、記録再生装置の回路ブロック図を示す。
【００４２】
図において、ＥＣＣエンコーダ１０１は、入力された記録データにリードソロモン符号等による誤り訂正符号を付加し、変調回路１０２へ出力する。変調回路１０２は、ＥＣＣエンコーダから入力されたデータに対しＥＦＭ変調等の変調処理を行い、これを制御回路１０３に出力する。制御回路１０３は、ホストコンピュータ（図示せず）からの指令に応じて各部を制御する。レーザ駆動回路１０４は、制御回路１０３からの制御信号に応じて半導体レーザ１０５ａを駆動する。
【００４３】
光ピックアップ１０５は、上記ピックアップユニット６０に搭載されており、半導体レーザ１０５ａおよび光検出器１０５ｂと光学系および対物レンズ駆動アクチュエータ（図示せず）等を備えている。このうち半導体レーザ１０５ａは、レーザ駆動回路１０４からの駆動信号に応じてレーザ光を出射する。すなわち、記録時には記録信号に応じて変調されたレーザ光（記録レーザパワー）を出射し、再生時には一定強度（再生レーザパワー）のレーザ光を出射する。また、レーザ光によってレーベル印刷を行う場合（レーザマーカ型）には、印刷画像の画像情報に応じて変調されたレーザ光（印刷レーザパワー）を出射する。
【００４４】
光検出器１０５ｂは、フォーカスエラー信号、トラッキングエラー信号、ランドプリピット信号（リードイン領域のランドに形成されたピット（エンボス）に応じた信号）、クロック信号、同期信号、再生ＲＦ信号等を生成するためのセンサーパターンを有し、デイクスからの反射光を受光したとき、各センサーからの信号を再生信号増幅回路１０６に出力する。再生信号増幅回路１０６は、光検出器１０５ｂから入力されたセンサー信号を演算処理してフォーカスエラー信号、トラッキングエラー信号、ランドプリピット信号、クロック信号、同期信号、再生ＲＦ信号等を生成し、生成した信号をそれぞれ対応する回路ブロックに出力する。
【００４５】
復調回路１０７は、再生信号増幅回路１０６から入力された再生ＲＦ信号を復調してＥＣＣデコーダ１０８に出力する。ＥＣＣデコーダ１０８は、復調回路１０７からの復調データに誤り訂正処理を施して再生データを生成し、これを制御回路１０３に出力する。制御回路１０３は、再生データから再生信号（映像信号、音声信号、等）を生成し、これを出力インタフェース１１６に出力する。
【００４６】
ピックアップサーボ回路１０９は、再生信号増幅回路１０６から入力されたフォーカスエラー信号およびトラッキングエラー信号からフォーカスサーボ信号およびトラッキングサーボ信号を生成し、これをピックアップ１０５の対物レンズ駆動アクチュエータ（図示せず）に出力する。また、光ピックアップ１０５をディスク径方向に送るための送りサーボ信号を生成し、これを光ピックアップ送りモータ（図示せず）に送る。なお、送りサーボ信号は、通常の記録再生時の他、レーベル印刷時に制御回路１０３から発せられる指令信号によっても生成され、送りモータに供給される。これにより、光ピックアップ１０５は、ディスクの径方向に所定ステップずつ送られる。レーベル印刷時における光ピックアップ１０５の送り動作については、追って詳述する。なお、本実施の形態では、ピックアップ送り用モータとして、ステッピングモータが用いられている。
【００４７】
スピンドルモータ１１０は、ディスクが載置されるターンテーブルを駆動するとともに、モータが一回転する毎に電気信号を出力する。スピンドルモータ１１０には、たとえば、モータ軸とともに回転する回転板と、回転板の所定円周位置に形成された孔と、この孔が通過する位置に配されたフォトカプラが配されており、フォトカプラからの電気信号をパルス発生回路１１１に出力するよう構成されている。ここで、孔は回転板に一つだけ形成されている。よって、フォトカプラからは、モータが一回転する毎にパルス発生回路１１１に電気信号が出力される。
【００４８】
パルス発生回路１１１は、スピンドルモータ１１０から電気信号を受け取る毎に１個のパルス信号を生成し、これを制御回路１０３に出力する。上記に如く、スピンドルモータ１１０は、モータが一回転する毎に電気信号を出力するよう構成されているため、パルス発生回路１１０は、モータが一回転する毎に一個のパルスを制御回路１０３に出力する。かかるパルスは、レーザマーカ型のレーベル印刷面を有するディスクにレーベル印刷を行う際に用いられる。このときの動作については、追って詳述する。
【００４９】
モータサーボ回路１１２は、制御回路１０３からの制御に応じてスピンドルモータ１１０を駆動する。ここで、制御回路１０３は、通常の記録・再生時には、再生信号増幅回路１０６からの同期信号をもとに、線速度が一定となるように、スピンドルモータ１１０を制御する。また、光ピックアップ１０５からのレーザ光によってレーベル印刷を行う場合（レーザマーカ方式）には、パルス発生回路１１１から入力されるパルス信号をもとに、角速度が一定となるように、スピンドルモータ１１０を制御する。
【００５０】
スレッドサーボ回路１１３は、制御回路１０３からの制御に応じて、トレイ送り用のスレッドモータ１１４を駆動する。ここで、制御回路１０３は、通常のトレイ搬入出時には、スレッドモータ１１４を一方向に駆動して、トレイ２０を搬入または搬出させる。また、プリンタユニット８０によってレーベル印刷を行う場合（レーザマーカ方式）には、一旦、トレイ２０を搬出位置まで移動させ、その後、プリンタユニット８０の駆動と連携してレーベル印刷面に画像が印刷されるように、トレイ２０を所定量ずつ、搬入方向にステップ送りする。なお、このときの連携動作については、追って詳述する。
【００５１】
プリンタ駆動回路１１５は、制御回路１０３から供給された画像情報に応じてプリンタユニット８０を駆動する。プリンタユニット８０は、上記の如く、サーマルリライダブル型のプリンタユニットにて構成されており、プリンタユニットは、プリンタ駆動回路１１５からの駆動信号に応じてサーマルヘッドを駆動する。
【００５２】
出力ＩＦ１１６は、映像／音声等の出力端子を備え、制御回路１０３から入力された映像信号／音声信号等を対応する出力端子に供給する。ここで、制御回路１０３は、通常の記録・再生時には、ＥＣＣデコーダ１０８から供給される再生データから、順次、映像信号と音声信号を生成し、これを出力ＩＦ１１６に供給する。また、レーベル印刷時には、レーベル印刷画像の編集に用いられる画像を生成し、これを出力ＩＦ１１６に供給する。
【００５３】
本実施の形態では、制御回路１０３は、ディスクに記録されている各ファイルの先頭画像を再生し、この再生画像からサムネイル画像を生成し、これをレーベル印刷画像として出力ＩＦ１１６に供給する。これにより、出力端子に接続されたＴＶモニタ上に、各ファイルのサムネイル画像が表示される。ユーザは、表示されたサムネイル画像の取捨選択や、先頭画像以外の画像を印刷画像として選択する操作、あるいは、サムネイル画像を配置するフレームの選択操作等の編集作業を、コントロールユニット４０を用いて行う。そして、編集後の画像情報は、制御回路１０３の内蔵メモリに一時記憶される。
【００５４】
なお、制御回路１０３は、上記制御の他に、再生信号増幅回路１０６から供給されるランドプリピット信号からプログラム情報（印刷管理情報を含む）を再生する処理も行う。また、レーベル印刷実行時に、その実行内容を示すレーベル情報を生成し、これをＲＭＡ領域の空き領域に記録する処理等も行う。
【００５５】
次に、レーベル印刷時の動作について、図４を参照して説明する。
【００５６】
記録再生装置にディスク１００が搬入・装着された後、コントロールユニット４０を介してレーベル印刷モードの実行指令が入力されると（Ｓ１０１）、制御回路１０３は、光ピックアップ１０５をリードイン領域にアクセスさせ、印刷管理情報の読み取りを試行する（Ｓ１０２）。このとき、印刷管理情報が読み取れなければ（Ｓ１０２：ＮＯ）、制御回路１０３は、印刷モードを手動による印刷モード（マニュアル印刷）に切り換える。他方、印刷管理情報が読み取れれば（Ｓ１０２：ＹＥＳ）、光ピックアップ１０５をＲＭＡ領域にアクセスさせ、レーベル情報の読み取りを試行する（Ｓ１０３）。
【００５７】
ここで、レーベル情報が読み取れれば、制御回路１０３は、読み取ったレーベル情報を参照し、当該ディスクにレーベル印刷を行えるかを判別する（Ｓ１０４）。具体的には、レーベル情報中に含まれているレーベル印刷面の使用状況を示す情報（３０％使用済み、等）を参照し、レーベル印刷を行うための領域が残っているかを判別する。かかる判別がＮＯであれば、レーベル印刷不可として、レーベル印刷動作を終了する。他方、判別がＹＥＳであれば、Ｓ１０５に進む。なお、Ｓ１０３おいてレーベル情報が読み取れなければ、当該ディスクには未だレーベル印刷が行われていないとして、Ｓ１０４の判別をＹＥＳとする。また、Ｓ１０３において読み取ったレーベル情報が、「レーベル印刷不可」であれば、Ｓ１０４の判別をＮＯとする。
【００５８】
Ｓ１０４においてレーベル印刷が可能であれば、制御回路１０３は、次に、Ｓ１０２にて読み取った印刷管理情報を参照し（Ｓ１０５）、当該ディスクのレーベル印刷面が、プリンタユニット８０による印刷（サーマルリライタブル型）またはピックアップユニット６０による印刷（レーザマーカ型）に適合するかを判別する（Ｓ１０６）。かかる判別がＮＯであれば、レーベル印刷不可として、レーベル印刷動作を終了する。他方、判別がＹＥＳであれば、対応するユニットを選択してレーベル印刷を実行する（Ｓ１０７）。
【００５９】
なお、Ｓ１０２において、マニュアル印刷モードとされた場合には、当該ディスクに印刷を行えるユニットをユーザ自身が適宜設定する。すなわち、Ｓ１０７におけるプリンタの設定を、ユーザ自身がコントロールユニット４０を操作しながら、手動で行う。
【００６０】
＜プリンタユニットによる印刷＞
印刷に用いるプリンタとしてプリンタユニット８０を選択したとき、制御回路１０３は、まず、印刷情報の編集動作を実行する（Ｓ１１０）。具体的には、上記の如く、当該ディスクに記録されているファイルからサムネイル画像を生成し、これを、ＴＶモニターに表示させ、ユーザによる編集に供する。そして、編集済み画像の画像情報を印刷対象の画像情報として内蔵メモリに一時記憶する。
【００６１】
なお、Ｓ１０３において再生したレーベル情報中に画像情報（先のレーベル印刷実行時に印刷対象とされた画像情報）と、印刷経過情報（どの画像まで印刷したかを示す情報）が含まれている場合、制御回路１０３は、まず、かかる画像情報と印刷経過情報をＴＶモニターに表示させ、未印刷の画像情報を印刷するかをユーザに問い合わせる。これを受けて、ユーザが、未印刷画像の印刷を続行するよう入力すると、制御回路１０３は、未印刷の画像情報を編集済み画像情報（印刷対象の画像情報）として内蔵メモリに一時記憶する。なお、この場合、未印刷の画像情報をさらに編集（削除、等）できるようにしてもよい。
【００６２】
他方、ユーザが、未印刷画像の印刷を続行しないよう入力すると、上述の通常の編集処理が行われる。すなわち、当該ディスクに記録されている全ファイルからサムネイル画像を生成し、これをＴＶモニターに表示させ、ユーザによる編集に供する。そして、編集済み画像の画像情報を印刷対象の画像情報として内蔵メモリに一時記憶する。
【００６３】
かかる編集動作が終了すると、次に、制御回路１０３は、トレイ２０を一旦ディスク搬出位置までアンローディングする（Ｓ１１１）。そして、トレイ２０を搬入方向にステップ送りしながらプリンタヘッドを駆動し、上記編集済み画像情報を画像毎に、当該ディスクのレーベル印刷面に印刷する（Ｓ１１２）。
【００６４】
かかるレーベル印刷時におけるトレイ２０とプリンタヘッド（サーマルヘッド）の動作を図５に示す。
【００６５】
同図（ａ）に示すように、トレイ２０は、一旦、ディスク搬出位置までアンローディングされ、その後、同図（ｂ）（ｃ）（ｄ）に示すように、搬入方向に移動される。ここで、トレイ２０は、搬入方向に所定量ずつステップ送りされる。一方、プリンタヘッドは、トレイ２０がステップ送りされてから次にステップ送りされるまでの停止期間中に、ディスク上面を左方向または右方向に移動する。このとき、当該期間に印刷されるべきライン情報が、プリンタ駆動回路１１５からプリンタユニット８０（プリンタヘッド）に供給される。これにより、当該ライン分の画像がディスクのレーベル印刷面に感熱記録される。
【００６６】
かかる印刷は、画像毎（サムネイル画像毎）に行われる。したがって、一つの画像について印刷が終わると、同図（ａ）の状態に戻り、次の画像の印刷が行われる。なお、印刷は、複数の画像をまとめて行うようにしても良い。また、全ての画像をまとめて行うようにしても良い。
【００６７】
図４に戻り、編集画像の印刷が終了すると（Ｓ１１３）、制御回路１０３は、当該印刷に対するレーベル情報を生成し、これをＲＭＡ領域に記録する（Ｓ１１４）。これにより、レーベル印刷が終了する。
【００６８】
なお、Ｓ１１３においては、全ての編集画像の印刷が終了した場合の他、ユーザによる指令入力（記録／再生指令、イジェクト指令、等）によってレーベル印刷が中断された場合にも、レーベル印刷終了として判別される。この場合、制御回路１０３は、印刷途中の画像の印刷（一つのサムネイル画像の印刷）を終了した後、Ｓ１１４の処理を実行する。なお、複数の画像をまとめて印刷する場合には、当該画像群の印刷を終了した後、Ｓ１１４の処理を実行する。このようにレーベル印刷が途中で中断された場合には、上記の如く、当該レーベル印刷実行時に印刷対象とされた画像情報（サムネイル画像群、等）と、印刷経過情報（どの画像まで印刷したかを示す情報）を、レーベル情報に含めるようにする。他方、全ての画像情報が印刷されることによってレーベル印刷が終了した場合には、これらの情報は特にレーベル情報に含めなくても良い。
【００６９】
このように、当該レーベル印刷実行時に印刷対象とされた画像情報と印刷経過情報をレーベル情報に含めることにより、上記の如く、次のレーベル印刷時に、残りの編集画像の印刷を適宜続行させることができる。
【００７０】
＜レーザユニットによる印刷＞
印刷に用いるプリンタとしてピックアップユニット６０を選択したとき、制御回路１０３は、まず、トレイ２０を搬出し、ディスク面を反転させるようユーザに報知する（Ｓ１２０）。この報知は、ディスプレイユニット３０にその旨を表示することによって行ってもよいし、あるいは、出力ＩＦ１１６から音声を出力することによって行うようにしてもよい。これにより、ユーザがディスク面を反転させ、トレイ２０をローディングさせると、制御回路１０３は、上記と同様にして、印刷情報の編集動作を実行する（Ｓ１２１）。
【００７１】
これにより、レーベル印刷すべき画像情報が内蔵メモリに記憶されると、次に、制御回路１０３は、光ピックアップ１０５を初期位置（最内周位置）に送り、その後、トラッキングをＯＦＦし、レーザ光のフォーカスを設定値に設定する。すなわち、予め設定したフォーカスサーボ信号を対物レンズ駆動アクチュエータに印加し、対物レンズを設定位置に固定する。これにより、レーベル印刷面上に所定サイズのレーザスポットが照射される。そして、上記の如く、パルス発生回路１１１からのパルス信号をもとに、ディスクを所定の角速度で回転させる（Ｓ１２２）。
【００７２】
しかる後、制御回路１０３は、光ピックアップ１０５を外周方向にステップ送りしながら、半導体レーザ１０５ａを駆動し、上記編集済み画像情報を画像毎に、当該ディスクのレーベル印刷面に印刷する（Ｓ１２３）。すなわち、光ピックアップ１０５がステップ送りされてから次にステップ送りされるまでの停止期間中に、当該期間に印刷されるべきライン情報に応じたレーザ駆動信号をレーザ駆動回路１０４に出力せしめる。当該ライン分の画像がディスクのレーベル印刷面に感熱記録あるいは熱変形記録される。
【００７３】
ここで、半導体レーザ１０５ａからのレーザ光は、当該ディスクの基板材料に応じたパワーに設定される。すなわち、制御回路１０３は、上記Ｓ１０２にて読み取った印刷管理情報から基板材料の種類（ポリカーボネート、ポリオレフィン、生分解性、等）に関する情報を抽出し、半導体レーザ１０５ａからのレーザ光を当該基板材料に適したレーザパワーに設定する。かかるレーザパワーの設定は、たとえば、基板材料とレーザパワーとを対応付けたテーブルを予め制御回路１０３に設定しておき、このテーブルをもとに設定する方法をとることができる。あるいは、基板材料の種類に関する情報から基板の限界温度を識別し、識別した限界温度をもとにレーザパワーを設定するようにしても良い。この場合には、たとえば、基板材料と限界温度とを対応付けたテーブルと、限界温度とレーザパワーを関係付けたテーブルが制御回路１０３に設定され、これらテーブルを参照して、レーザパワーの設定が行われる。なお、印刷管理情報に、基板の温度限界値や、レーザパワーの設定値（レーザマーカ型の場合）等が含まれている場合には、これをもとにレーザパワーが設定される。
【００７４】
また、レーザ光の出力タイミング制御は、たとえば、パルス発生回路１１１からのパルス入力時を基準時として、そこから１ライン（ディスク１周）分の画像情報に応じた変調レーザ光を半導体レーザ１０５ａに出力させることによって行う。そして、１ライン分の画像印刷が終了したタイミングで光ピックアップ１０５を１ステップだけ送り、さらに、次のパルス入力時を基準時として、次の１ライン（ディスク１周）分の画像情報に応じた変調レーザ光を半導体レーザ１０５ａに出力させる。かかるＲθ制御を繰り返すことにより、画像情報をレーベル印刷面に印刷していく。
【００７５】
かかる印刷は、上記と同様、画像毎（サムネイル画像毎）に行われる。したがって、一つの画像について印刷が終わると、光ピックアップ１０５を初期位置に復帰させ、次の画像の印刷を行う。なお、印刷は、複数の画像をまとめて行うようにしても良い。また、全ての画像をまとめて行うようにしても良い。
【００７６】
編集画像の印刷が終了すると（Ｓ１２４）、制御回路１０３は、トレイ２０を搬出し、再びディスク面を反転させるようユーザに報知する（Ｓ１２５）。これにより、ユーザがディスク面を反転させ、トレイ２０をローディングさせると、制御回路１０３は、上記と同様にして、当該印刷に対するレーベル情報を生成し、これをＲＭＡ領域に記録する（Ｓ１２６）。これにより、レーベル印刷が終了する。
【００７７】
なお、Ｓ１２４においては、上記Ｓ１１３と同様、全ての編集画像の印刷が終了した場合の他、ユーザによる指令入力（記録／再生指令、イジェクト指令、等）によってレーベル印刷が中断された場合にも、レーベル印刷終了として判別される。この場合、上記と同様、当該レーベル印刷実行時に印刷対象とされた画像情報（サムネイル画像群、等）と、印刷経過情報（どの画像まで印刷したかを示す情報）が、レーベル情報に含められる。
【００７８】
このように、当該レーベル印刷実行時に印刷対象とされた画像情報と印刷経過情報をレーベル情報に含めることにより、上記の如く、次のレーベル印刷時に、残りの編集画像の印刷を適宜続行させることができる。
【００７９】
以上、本発明に係る実施の形態について説明したが、本発明はかかる実施の形態に限定されるものではなく、他に種々の変更が可能であることは言うまでもない。
【００８０】
たとえば、上記実施の形態では、プリンタ手段として、サーマルリライタブル型のプリンタユニット８０とピックアップユニット６０を用いるようにしたが、たとえば図６に示すように、さらにインクジェット型のプリンタユニット９０を配するようにしても良い。この場合、プリンタユニット９０は、プリンタヘッドがディスクの上面（レーベル印刷面）を同図の左右方向にスキャンするよう構成される。このとき、トレイ２の駆動制御は上記実施の形態と同様、トレイ２０を搬出位置から搬入位置にステップ送りし、ステップ送り間のトレイ停止期間中に、プリンタヘッドを左右方向にスキャンしながらインクジェット印刷を行うことにより、ディスク上にレーベル印刷が行われる。
【００８１】
図７に、かかる場合の動作フローチャートを示す。図７は、図４のフローチャートのうちＳ１０７以降を示すものであり、図４のフローチャートに比べ、インクジェット方式による印刷ステップ（Ｓ１３０〜Ｓ１３４）が追加されている。このうち、Ｓ１３０、Ｓ１３１、Ｓ１３３、Ｓ１３４の処理は、上記Ｓ１１０、Ｓ１１１、Ｓ１１３、Ｓ１１４と同じである。図７では、Ｓ１３２において、上述のインクジェット方式による印刷が行われる。
【００８２】
また、本発明は、このように複数種類の印刷手段を同時に搭載する場合の他、単一の印刷手段のみを搭載する場合も想定したものである。すなわち、本発明においては、一つの印刷手段のみを記録再生装置に搭載するようにしても良い。また、印刷手段は上記に限られず、これら以外の印刷手段を採用するようにしても良い。
【００８３】
また、上記実施の形態では、記録再生用の光ピックアップを印刷手段として共用するようにしたが、別途、レーザマーカ方式による光ヘッドをディスク上面側に配するようにしても良い。
【００８４】
また、上記実施の形態では、基板材料の種別に関する情報を用いてレーザパワーを設定するようにしたが、これを用いてサーマルヘッドの印加熱を制御するようにしても良い。また、インクジェットの配色（基板色との関係）等、その他の印刷条件を調整するようにしても良い。
【００８５】
また、上記実施の形態では、レーベル情報として、レーベル印刷を実行したか否かを示す情報（未実行、一部実行、完了）や、レーベル印刷によってどの程度のエリアが使用されたかを示す情報（全領域の３０％使用、等）を含めるものとしたが、印刷可能領域が使い尽くされたことに応じて、更なるレーベル印刷を禁止する情報をさらに含めるようにしても良い。こうすると、ユーザが一度印刷したディスクに再び印刷する間違いを防ぐことが可能となる。
【００８６】
また、レーベル印刷される情報は、各ファイルの先頭画像に限らず、タイトル名や曲名等の文字情報や、その他の情報とすることもできる。この他、レーベル印刷用のサンプル画像を予めディスクに記録しておき、このサンプル画像をレーベル印刷面に印刷するようにしても良い。
【００８７】
なお、図８に示すように、印刷可能な領域がディスク面上において予め決められている場合には、ドライブ側において、この領域を適宜識別して印刷を行うが必要がある。この場合、ディスク側に予め印刷可能な領域を識別するための情報を保持させておけば、ドライブ側にてこの情報を参照することにより、印刷可能領域の位置を識別することができる。
【００８８】
たとえば、ディスク上において、印刷管理情報の記録位置と印刷可能領域の初期位置（図８中の白丸の位置）の位置関係を予め規定しておけば、光ピックアップ１０５における印刷管理情報の読み取りタイミングから、その後、印刷可能領域の初期位置へ到達するに必要なディスク回転角ないしディスク回転時間を、ドライブ側にて算出することができる。そして、この回転角ないし回転時間をもとに、モータサーボ回路１１２にてディスクの回転制御を行うことにより、印刷用ヘッドを印刷可能領域の初期位置に位置づけることができる。
【００８９】
図８に示す例では、印刷管理情報の記録位置と印刷可能領域の初期位置（同図中の白丸の位置）は、ディスクの径方向に並ぶように規定されている。なお、図中の黒丸は、印刷用ヘッドの初期位置であり、この初期位置は、光ピックアップ１０５の移動軌跡（ディスク径方向）と、印刷可能領域の初期位置の移動軌跡（ディスク回転方向）が交わる位置に設定されている。
【００９０】
いま、同図（ａ）のタイミングにて、スピンドルモータ１１０から上述の電気信号（ターンテーブル基準信号）が発せられたとすると、その後、同図（ｂ）のタイミング、すなわち、印刷管理情報が光ピックアップ１０５にて読み取られ、印刷可能領域の初期位置が印刷用ヘッドの初期位置に到達するまでには、ディスクが回転角θだけ回転される必要がある。
【００９１】
図９を参照して、印刷管理情報の読み取りに応じて信号（ディスクトリガ信号）が発せられるとすると、ターンテーブル基準信号の出力タイミングからディスクトリガ信号の出力タイミングまでにはズレ時間Ｔ（ｓ）が存在する。このズレ時間Ｔ（ｓ）に応じた回転角θだけ、ディスクを回転させることにより、印刷可能領域の初期位置を印刷ヘッドの初期位置に位置付けることができる。たとえば、同図に示すように、ディスク１周の期間を分割するパルス信号をターンテーブル基準信号に同期して生成すれば、ターンテーブル基準信号の検出タイミングからズレ時間Ｔ（ｓ）に応じたパルス分だけディスクを回転させることにより、印刷可能領域の初期位置を印刷ヘッドの初期位置に位置付けることができる。
【００９２】
なお、上記の説明では、印刷管理情報の記録位置と印刷可能領域の初期位置の位置関係を規定するものとしたが、ディスク上に、光ピックアップ１０５にて検出できるような形態にて特別なマークを配置し、このマークの配置位置と印刷可能領域の初期位置の位置関係を予め規定するようにしても良い。ここで、マークの配置方法としては、ディスク内周部のＲＭＡ領域等に特別なパターンの信号を記録する方法を用いることができる。あるいは、ディスク上の特別な領域に、ホールや低反射率部分を形成する方法を用いることもできる。
【００９３】
図８に示す印刷可能領域に対してレーベル印刷を行う際のプリンタユニット９１の配置例を図１０に示す。プリンタユニット９１は、上記実施形態と同様、ディスク上面に臨む位置に配置されている。さらに、上述の如く、プリンタヘッドの初期位置が、光ピックアップ１０５の移動軌跡（ディスク径方向）と、印刷可能領域の初期位置の移動軌跡（ディスク回転方向）とが交わる位置に設定されるよう配置されている。なお、プリンタヘッドは、図８に示す横方向（紙面左右方向）と縦方向（紙面上下方向）の２次元方向に移動できるものとなっている。
【００９４】
図１１（ａ）に、レーベル印刷時の処理フローを示す。レーベル印刷動作が開始されると、まず、ターンテーブル基準信号とディスクトリガ信号の検出が行われる（Ｓ２１０）。次いで、これら信号の検出タイミングから、上記の如く、ズレ時間Ｔ（Ｓ）が検出され（Ｓ２１１）、このズレ時間Ｔ（ｓ）をもとに、印刷可能領域の初期位置を印刷ヘッドの初期位置に位置づける制御が行われる（Ｓ２１２）。しかる後、プリンタヘッドを駆動してレーベル印刷動作が行われる（Ｓ２１３）。そして、印刷可能領域への印刷が終了すると（Ｓ２１４：ＹＥＳ）、ディスクにレーベル情報（印刷不許可の情報、等）が記録され、レーベル印刷動作が終了される。
【００９５】
なお、図１２（ａ）〜（ｃ）に示すように、印刷可能領域のパターンが種々規定されている場合には、上述の情報に加え、領域パターンを識別するための情報をディスクに保持させるようにする。この情報は、例えば、印刷管理情報に含めるようにしてもよく、あるいは、ディスク上の特別な領域に信号として保持させるようにしても良い。
【００９６】
なお、パターン識別情報が印刷管理情報に含められている場合、処理フローチャートは、図１１（ｂ）のように変更される。すなわち、Ｓ２２０にて、印刷管理情報をもとに印刷可能領域のパターンが識別され、識別されたパターンに応じてプリンタヘッドを駆動してレーベル印刷が実行される（Ｓ２１３）。
【００９７】
なお、図８に示すように印刷可能領域のパターンが１つの場合、プリンタユニット９１による印刷範囲に関する情報は、あらかじめドライブ装置のメモリに記憶しておき、これをメモリから読み出して印刷しても良い。また、図１２に示すように印刷可能領域のパターンが複数の場合、ディスクの印刷管理情報から読み出した領域パターンに対応した印刷範囲に関する情報をドライブ装置のメモリから読み出して印刷しても良い。さらに、ディスク内に印刷範囲の情報を記憶しておき、これを読み出して印刷しても良い。
【００９８】
この他、プリンタユニット９１がレーザマーカ型の場合には、図１３に示す如く、印刷可能領域を挟むようにしてスタートマークとエンドマークを配置することにより、プリンタユニット９１にて印刷可能領域の位置を識別することもできる。具体的には、印刷可能領域のレーザ走査開始側とレーザ走査終了側に、それぞれ反射率が極めて低い材料で３本のラインと２本のラインを印刷する。たとえば、黒色のインク等であれば、赤色レーザ光の反射率を低く抑えることができる。
【００９９】
こうすると、プリンタユニット９１からのレーザ光を印刷不可のパワーに低く抑えながらディスクを線速度一定で回転させれば、ディスクからの反射光強度は、図１３の下段に示すようなレベル変化を示すこととなる。したがって、この反射光をプリンタユニット９１内に配した光検出器にて受光すると、同図１３の下段に示す波形の信号を検出できる。
【０１００】
レーベル印刷実行時には、まず、この信号からスタートマーク区間とエンドマーク区間の間に位置する印刷可能領域区間の走査タイミングを検出する。そして、検出した走査タイミングにて、プリンタユニット９１からレーベル印刷用の１ライン分のレーザ光をディスク上に照射し、１回転に１ラインずつ印刷を行う。すなわち、１回の走査タイミングにて１ライン分の印刷を行うと、印刷ヘッドを外周方向に１ライン分送り、次の走査タイミングにて次のライン分の印刷を行う。この動作を、印刷可能領域の最内周位置から最外周位置まで繰り返し行い、印刷可能領域に対する印刷を実行する。
【０１０１】
なお、この場合には、印刷ヘッドは、ディスクの径方向にのみ移動できるもので足りる。すなわち、上記図１０に示すように２次元方向に移動できる構成とする必要はなく、ディスク径方向に１ラインずつ移動できる構成とすれば良い。
【０１０２】
また、図１４に示す如く、印刷可能領域がディスク径方向に分割されるようにして配置されている場合には、印刷可能領域と印刷不可の領域の境界部分に、エッジ検出用の印刷を行うようにする。たとえば、この境界の部分に、反射率が極めて低い材料で数本のラインまたは一定幅のラインを印刷する。そして、上記と同様、ディスク反射光の強度変化を検出することで、印刷可能領域と印刷不可の領域の境界を検出する。この検出は、印刷に先立って、プリンタユニット９１からのレーザ光を印刷不可のパワーに低く抑えながら印刷ヘッドを最内周部から外周部に移動させることにより行えば良い。印刷時には、検出した境界位置を径方向のエンド位置として、最内周部から順番に１ライン（１回転）ずつ送りながら印刷を行う。
【０１０３】
この他、本発明は、ＤＶＤ−Ｒディスクおよびその記録再生装置に限らず、その他の記録媒体および記録再生装置に適用できることは言うまでもない。本発明の実施の形態は、特許請求の範囲に示された技術的思想の範囲内において、適宜、種々の変更が可能である。
【図面の簡単な説明】
【０１０４】
【図１】実施の形態に係るディスクの構成を示す図
【図２】実施の形態に係る記録再生装置の構成を示す図
【図３】実施の形態に係る記録再生装置の回路構成を示す図
【図４】実施の形態に係る記録再生装置の動作を示すフローチャート
【図５】実施の形態に係る印刷時の流れを示す図
【図６】他の実施の形態に係る記録再生装置の構成を示す図
【図７】他の実施の形態に係る記録再生装置の動作を示すフローチャート
【図８】他の実施の形態に係るレーベル印刷手法を説明する図
【図９】他の実施の形態に係るレーベル印刷手法を説明する図
【図１０】他の実施の形態に係る記録再生装置の構成を示す図
【図１１】他の実施の形態に係る記録再生装置の動作を示すフローチャート
【図１２】他の実施の形態に係るレーベル印刷領域の構成例を示す図
【図１３】他の実施の形態に係るレーベル印刷手法を説明する図
【図１４】他の実施の形態に係るレーベル印刷手法を説明する図
【符号の説明】
【０１０５】
２０  トレイ
５０  回路ユニット
６０  ピックアップユニット
７０  ローディングユニット
８０  プリンタユニット
９０  プリンタユニット
９１  プリンタユニット
１００  ディスク
１０３  制御回路
１０４  レーザ駆動回路
１０５  半導体レーザ
１０９  ピックアップサーボ回路
１１０  スピンドルモータ
１１１  パルス発生回路
１１２  モータサーボ回路
１１３  スレッドサーボ回路
１１４  スレッドモータ
１１５  プリンタ駆動回路
【図１】
2005182980.tif 000003
【図２】
2005182980.tif 000004
【図３】
2005182980.tif 000005
【図４】
2005182980.tif 000006
【図５】
2005182980.tif 000007
【図６】
2005182980.tif 000008
【図７】
2005182980.tif 000009
【図８】
2005182980.tif 000010
【図９】
2005182980.tif 000011
【図１０】
2005182980.tif 000012
【図１１】
2005182980.tif 000013
【図１２】
2005182980.tif 000014
【図１３】
2005182980.tif 000015
【図１４】
2005182980.tif 000016